(57)【要約】【課題】ハードウェアの構成を変更することなく簡便な操作で各国の固有パラメータを設定できるようにして、製造コスト、保守コスト、管理コストを抑えた画像通信装置およびその制御方法を提供する。【解決手段】固有パラメータを記憶する記憶先を示す記憶先情報を記憶部１８に記憶し、コントロールパネル１７により国の指定を行い、このコントロールパネル１７により指定された国に対応する固有パラメータを記憶する記憶先に対して記憶部１８に記憶された記憶先情報を用いて通信制御部９によりネットワーク４を介してアクセスし、この記憶先からコントロールパネル１７で指定された国に対応する固有パラメータをダウンロードして記憶部１８に記憶する。【選択図】  図１
2004201008.tif 000002
【特許請求の範囲】
【請求項１】
各国の固有パラメータを記憶手段に記憶し、該記憶手段に記憶された固有パラメータに基づき動作する画像通信装置において、
前記固有パラメータを記憶する記憶先を示す記憶先情報を記憶する記憶先情報記憶手段と、
国を指定する指定手段と、
前記指定手段で指定された国に対応する固有パラメータを記憶する記憶先に対して前記記憶先情報記憶手段に記憶された記憶先情報によりアクセスして該指定手段で指定された国に対応する固有パラメータをダウンロードして前記記憶手段に記憶するダウンロード手段と
を具備することを特徴とする画像通信装置。
【請求項２】
前記指定手段は、
所望の国に対応する国コードを入力することにより前記国の指定を行う
ことを特徴とする請求項１記載の画像通信装置。
【請求項３】
前記指定手段は、
自局情報設定時に選択される国番号に基づき前記国の指定が自動的に行われる
ことを特徴とする請求項１記載の画像通信装置。
【請求項４】
前記固有パラメータは、
前記指定手段で指定された国に対応する文字フォント情報を含む
ことを特徴とする請求項１記載の画像通信装置。
【請求項５】
前記固有パラメータは、
前記指定手段で指定された国に対応する回線規格を満足する各種パラメータを含む
ことを特徴とする請求項１記載の画像通信装置。
【請求項６】
前記固有パラメータは、
前記指定手段で指定された国に対応する文字フォント情報および前記指定手段で指定された国に対応する回線規格を満足する各種パラメータを含む
ことを特徴とする請求項１記載の画像通信装置。
【請求項７】
前記ダウンロード手段は、
所定の外部インタフェースを介して前記指定手段で指定された国に対応する固有パラメータをダウンロードする
ことを特徴とする請求項１記載の画像通信装置。
【請求項８】
前記外部インタフェースは、
ＴＣＰ／ＩＰプロトコルにより接続制御されるネットワークを含む
ことを特徴とする請求項７記載の画像通信装置。
【請求項９】
前記外部インタフェースは、
ＵＳＢインタフェースを含む
ことを特徴とする請求項７記載の画像通信装置。
【請求項１０】
前記外部インタフェースは、
ＩＥＥＥ１３９４インタフェースを含む
ことを特徴とする請求項７記載の画像通信装置。
【請求項１１】
前記固有パラメータを記憶する記憶先は、
予め設置されたＦＴＰサーバを含む
ことを特徴とする請求項１記載の画像通信装置。
【請求項１２】
前記固有パラメータを記憶する記憶先は、
予め設置されたＷｅｂサイトを含む
ことを特徴とする請求項１記載の画像通信装置。
【請求項１３】
前記固有パラメータを記憶する記憶先は、
予め設置されたローカルパーソナルコンピュータを含む
ことを特徴とする請求項１記載の画像通信装置。
【請求項１４】
前記固有パラメータを記憶する記憶先は、
内部記憶手段を含み、
前記各国の固有パラメータは圧縮して前記内部記憶手段に予め記憶される
ことを特徴とする請求項１記載の画像通信装置。
【請求項１５】
前記ダウンロード手段は、
前記指定手段で指定された国に対応する固有パラメータを記憶する記憶先に対して定期的にアクセスし、前記記憶手段に記憶された固有パラメータを定期的に更新する
ことを特徴とする請求項１記載の画像通信装置。
【請求項１６】
各国の固有パラメータを記憶手段に記憶し、該記憶手段に記憶された固有パラメータに基づき動作する画像通信装置の制御方法において、前記固有パラメータを記憶する記憶先を示す記憶先情報を記憶先情報記憶手段に記憶し、
指定手段により国の指定を行い、
該指定手段により指定された国に対応する固有パラメータを記憶する記憶先に対して前記記憶先情報記憶手段に記憶された記憶先情報によりアクセスして該指定手段で指定された国に対応する固有パラメータをダウンロード手段によりダウンロードして前記記憶手段に記憶する
ことを特徴とする画像通信装置の制御方法。
【請求項１７】
前記指定手段は、所望の国に対応する国コードを入力することにより前記国の指定を行い、
前記ダウンロード手段は、前記指定手段により指定された国コードに対応する固有パラメータを前記記憶先からダウンロードする
ことを特徴とする請求項１６記載の画像通信装置の制御方法。
【請求項１８】
前記ダウンロード手段は、自局情報設定時に選択される国番号に基づき自局が設置された国を自動判別し、
該判別された国に対応する固有パラメータを前記記憶先から自動的にダウンロードする
ことを特徴とする請求項１６記載の画像通信装置の制御方法。
【請求項１９】
前記固有パラメータは、前記指定手段で指定された国に対応する文字フォント情報および前記指定手段で指定された国に対応する回線規格を満足する各種パラメータを含む
ことを特徴とする請求項１６記載の画像通信装置の制御方法。
【請求項２０】
前記ダウンロード手段は、ＴＣＰ／ＩＰプロトコルにより接続制御されるネットワーク若しくはＵＳＢインタフェース若しくはＩＥＥＥ１３９４インタフェースを介して前記指定手段で指定された国に対応する固有パラメータをダウンロードする
ことを特徴とする請求項１６記載の画像通信装置の制御方法。
【請求項２１】
前記固有パラメータを記憶する記憶先は、予め設置されたＦＴＰサーバ若しくはＷｅｂサイト若しくはローカルパーソナルコンピュータを含む
ことを特徴とする請求項１６記載の画像通信装置の制御方法。
【請求項２２】
前記固有パラメータを記憶する記憶先は、内部記憶手段を含み、前記各国の固有パラメータは圧縮して前記内部記憶手段に予め記憶される
ことを特徴とする請求項１６記載の画像通信装置の制御方法。
【請求項２３】
前記指定手段で指定された国に対応する固有パラメータを記憶する記憶先に対して定期的にアクセスし、前記記憶手段に記憶された固有パラメータを定期的に更新する
ことを特徴とする請求項１６記載の画像通信装置の制御方法。
【発明の詳細な説明】
【０００１】
【発明の属する技術分野】
この発明は、画像通信装置およびその制御方法に関し、特に、ハードウェアの構成を変更することなく複数の国で使用することを可能にした画像通信装置およびその制御方法に関する。
【０００２】
【従来の技術】
従来の画像通信装置のパラメータ設定に関する技術には、特許文献１の「通信装置」が開示されている。
【０００３】
この特許文献１記載の「通信装置」は、自動発呼機能を有する通信装置において、通信装置の複数の使用場所に応じた各種パラメータを記憶するＲＯＭと、設定されたパラメータを記憶するＲＡＭを具備して構成され、ＲＯＭに記憶された各種パラメータは各国別の通信規格を満足するパラメータが事前に全て記憶されている。
【０００４】
パラメータの入力モードには、「個別入力」、「一括入力」の２種類があり、「一括入力」が指定された場合は、通信装置を使用する国を指定し、指定した国のパラメータが記憶されているメモリアドレスにアクセスし、セットキーが押下されると読み出した各パラメータがＲＡＭにロードされる。
【０００５】
一方、「個別入力」が指定された場合は、ＲＡＭ内にロード済みのパラメータを読み出して表示後、オペレータがダイヤル用テンキーにより変更したい数値を入力してパラメータを個別に更新する事例が記載されている。
【０００６】
また、特許文献２記載の「画像通信装置」は、各国の規格を満足する複数の制御プログラムがＥＰ−ＲＯＭ（Erasable Programmable Read Only Memory：電気的に書き込み可能な読み出し専用メモリ）に事前に記憶され、回線制御を行うＮＣＵ（Network  Control  Unit）に具備されたディップスイッチで事前に設定された国情報をＣＰＵが解析し、解析した国情報に対応した制御プログラムを実行する。
【０００７】
また、使用国を判別する別の構成として、事前に使用国の通信規格に準拠した設定部がＮＣＵと一体化して通信装置にセットされ、設定部は、プリント回路基盤の配線ランドによる結線のパターンをワイヤード論理に従って二進数のコードを解析して設定された使用国情報を取得する事例が記載されている。
【０００８】
【特許文献１】
特開昭６３−０３９２４４号公報。
【０００９】
【特許文献２】
特開平０３−１５５２６４号公報。
【００１０】
【発明が解決しようとする課題】
しかし、特許文献１記載の「通信装置」は、ＲＯＭ内に各国別の設定情報を全て記憶する構成の為、通信装置の対応国が増加することに伴い、ＲＯＭに各国別の設定情報を全て記憶するための大きなメモリ容量を確保しなければならないという問題が生じる。
【００１１】
また、特許文献２記載の「画像通信装置」は、出荷時あるいは設置時において、出荷国別のディップスイッチの設定作業が必要となりその分製造コストも増大する問題が生じる。
【００１２】
また、ＮＣＵの信号線の結線パターンを解析して使用国情報を取得する方法においては、オペレータあるいはエンドユーザの設定操作は不要となる一方、製造工程において、各国の規格に準拠した制御プログラムおよび設定情報を記憶した多種の部品を取り扱うことによるＲＯＭの装着誤り、および、管理の煩雑化による製品のコストアップが生じる問題が発生する。
【００１３】
そこで、この発明は、ハードウェアの構成を変更することなく簡便な操作で各国の固有パラメータを設定できるようにして、製造コスト、保守コスト、管理コストを抑えた画像通信装置およびその制御方法を提供することを目的とする。
【００１４】
【課題を解決するための手段】
上記課題を解決するために、請求項１の発明は、各国の固有パラメータを記憶手段に記憶し、該記憶手段に記憶された固有パラメータに基づき動作する画像通信装置において、前記固有パラメータを記憶する記憶先を示す記憶先情報を記憶する記憶先情報記憶手段と、国を指定する指定手段と、前記指定手段で指定された国に対応する固有パラメータを記憶する記憶先に対して前記記憶先情報記憶手段に記憶された記憶先情報によりアクセスして該指定手段で指定された国に対応する固有パラメータをダウンロードして前記記憶手段に記憶するダウンロード手段とを具備することを特徴とする。
【００１５】
また、請求項２の発明は、請求項１の発明において、前記指定手段は、所望の国に対応する国コードを入力することにより前記国の指定を行うことを特徴とする。
【００１６】
また、請求項３の発明は、請求項１の発明において、前記指定手段は、自局情報設定時に選択される国番号に基づき前記国の指定が自動的に行われることを特徴とする。
【００１７】
また、請求項４の発明は、請求項１の発明において、前記固有パラメータは、前記指定手段で指定された国に対応する文字フォント情報を含むことを特徴とする。
【００１８】
また、請求項５の発明は、請求項１の発明において、前記固有パラメータは、前記指定手段で指定された国に対応する回線規格を満足する各種パラメータを含むことを特徴とする。
【００１９】
また、請求項６の発明は、請求項１の発明において、前記固有パラメータは、前記指定手段で指定された国に対応する文字フォント情報および前記指定手段で指定された国に対応する回線規格を満足する各種パラメータを含むことを特徴とする。
【００２０】
また、請求項７の発明は、請求項１の発明において、前記ダウンロード手段は、所定の外部インタフェースを介して前記指定手段で指定された国に対応する固有パラメータをダウンロードすることを特徴とする。
【００２１】
また、請求項８の発明は、請求項１の発明において、前記外部インタフェースは、ＴＣＰ／ＩＰプロトコルにより接続制御されるネットワークを含むことを特徴とする。
【００２２】
また、請求項９の発明は、請求項７の発明において、前記外部インタフェースは、ＵＳＢインタフェースを含むことを特徴とする。
【００２３】
また、請求項１０の発明は、請求項７の発明において、前記外部インタフェースは、ＩＥＥＥ１３９４インタフェースを含むことを特徴とする。
【００２４】
また、請求項１１の発明は、請求項１の発明において、前記固有パラメータを記憶する記憶先は、予め設置されたＦＴＰサーバを含むことを特徴とする。
【００２５】
また、請求項１２の発明は、請求項１の発明において、前記固有パラメータを記憶する記憶先は、予め設置されたＷｅｂサイトを含むことを特徴とする。
【００２６】
また、請求項１３の発明は、請求項１の発明において、前記固有パラメータを記憶する記憶先は、予め設置されたローカルパーソナルコンピュータを含むことを特徴とする。
【００２７】
また、請求項１４の発明は、請求項１の発明において、前記固有パラメータを記憶する記憶先は、内部記憶手段を含み、前記各国の固有パラメータは圧縮して前記内部記憶手段に予め記憶されることを特徴とする。
【００２８】
また、請求項１５の発明は、請求項１の発明において、前記ダウンロード手段は、前記指定手段で指定された国に対応する固有パラメータを記憶する記憶先に対して定期的にアクセスし、前記記憶手段に記憶された固有パラメータを定期的に更新することを特徴とする。
【００２９】
また、請求項１６の発明は、各国の固有パラメータを記憶手段に記憶し、該記憶手段に記憶された固有パラメータに基づき動作する画像通信装置の制御方法において、前記固有パラメータを記憶する記憶先を示す記憶先情報を記憶先情報記憶手段に記憶し、指定手段により国の指定を行い、該指定手段により指定された国に対応する固有パラメータを記憶する記憶先に対して前記記憶先情報記憶手段に記憶された記憶先情報によりアクセスして該指定手段で指定された国に対応する固有パラメータをダウンロード手段によりダウンロードして前記記憶手段に記憶することを特徴とする。
【００３０】
また、請求項１７の発明は、請求項１６の発明において、前記指定手段は、所望の国に対応する国コードを入力することにより前記国の指定を行い、前記ダウンロード手段は、前記指定手段により指定された国コードに対応する固有パラメータを前記記憶先からダウンロードすることを特徴とする。
【００３１】
また、請求項１８の発明は、請求項１６の発明において、前記ダウンロード手段は、自局情報設定時に選択される国番号に基づき自局が設置された国を自動判別し、該判別された国に対応する固有パラメータを前記記憶先から自動的にダウンロードすることを特徴とする。
【００３２】
また、請求項１９の発明は、請求項１６の発明において、前記固有パラメータは、前記指定手段で指定された国に対応する文字フォント情報および前記指定手段で指定された国に対応する回線規格を満足する各種パラメータを含むことを特徴とする。
【００３３】
また、請求項２０の発明は、請求項１６の発明において、前記ダウンロード手段は、ＴＣＰ／ＩＰプロトコルにより接続制御されるネットワーク若しくはＵＳＢインタフェース若しくはＩＥＥＥ１３９４インタフェースを介して前記指定手段で指定された国に対応する固有パラメータをダウンロードすることを特徴とする。
【００３４】
また、請求項２１の発明は、請求項１６の発明において、前記固有パラメータを記憶する記憶先は、予め設置されたＦＴＰサーバ若しくはＷｅｂサイト若しくはローカルパーソナルコンピュータを含むことを特徴とする。
【００３５】
また、請求項２２の発明は、請求項１６の発明において、前記固有パラメータを記憶する記憶先は、内部記憶手段を含み、前記各国の固有パラメータは圧縮して前記内部記憶手段に予め記憶されることを特徴とする。
【００３６】
また、請求項２３の発明は、請求項１６の発明において、前記指定手段で指定された国に対応する固有パラメータを記憶する記憶先に対して定期的にアクセスし、前記記憶手段に記憶された固有パラメータを定期的に更新することを特徴とする。
【００３７】
【発明の実施の形態】
以下、この発明における画像通信装置の詳細について添付図面を参照しながら説明する。
【００３８】
図１は、ＦＴＰサーバ２に対する接続手段を持つ画像通信装置１が、初期稼動時に固有パラメータ（稼動国固有の回線規則を満足するパラメータ、使用国の言語に応じた文字フォント等）をＦｌａｓｈＲｏｍ２１にダウンロードする時の制御構成を示すブロック図である。
【００３９】
画像通信装置１は、画像通信装置１全体を制御するＣＰＵ８、ネットワーク４に接続してＦＴＰサーバ２に接続し、公衆回線５を介して相手側画像通信装置３と通信を行う為の通信制御部９、ＵＳＢケーブル２４を用いてローカル接続ＰＣ６（Personal  Computer）に接続する外部インタフェース１２、ユーザが画像通信装置１を外部から操作するコントロールパネル１７、画像通信装置１で送受信する画像データ、画像通信装置１の制御プログラム、各種アプリケーションプログラム、各種通信用パラメータ、文字フォントを記憶する記憶部１８、画像をプリントして出力する画像出力部２２、原稿画像を画像データとして画像通信装置１に取り込む画像入力部２３、画像の解像度変換、圧縮、階調度変換等の各種画像通信装置処理を行う画像処理部３６、画像通信装置１に電力を供給する電源３７、画像通信装置１の内蔵時計とは別に、タイマ監視制御に専用で使用するタイマ専用時計３８を具備して構成される。
【００４０】
通信制御部９は、さらに、ネットワーク（インターネット、イントラネット）に接続して通信制御を行うＮ／Ｗ通信制御部１０と、公衆回線５を介して相手側画像通信装置３とのＦＡＸ通信等を行う公衆回線通信制御部１１で構成される。
【００４１】
記憶部１８は、ソフトウェアコマンドにより電気的に消去と再書き込みが可能な不揮発性メモリであり、ＣＰＵ８で実行される各種プログラム、画像通信装置１の固有パラメータを記憶するＦｌａｓｈＲＯＭ２１、ハードディスク１９、画像入力部２３から読み取った画像データ、公衆回線５を介して受信した画像データ等を蓄積するＲＡＭ２０で構成される。
【００４２】
また、コントロールパネル１７は、ユーザが画像通信装置１に対してボタン操作によるデータ入力を行うための入力部１６、メニュー画面、入力画面、処理状況、メッセージを表示するＣＲＴ、液晶ディスプレイ、あるいは入力部を兼ねるタッチパネルを含む出力部１５で構成される。
【００４３】
図２は、画像通信装置１の記憶部１８に予め記憶されるカントリーコード３３の一覧および固有パラメータの設定処理に必要な関連情報の対を管理するカントリーコード管理テーブル３１のレイアウトを示す図である。
【００４４】
カントリーコード管理テーブル３１は、画像通信装置１が使用可能となる国毎に、国名３２と、国名３２をユニークに符号化したカントリーコード３３、カントリーコード３３に対応した画像通信装置１の固有パラメータの記憶場所を示す接続先３４で構成され、出荷時にハードディスク１９あるいはＦｌａｓｈＲＯＭ２１のいずれかに記憶されている。
【００４５】
次に、画像通信装置１のＦｌａｓｈＲＯＭ２１に固有パラメータを設定する３つの方法を以下に示しそれぞれについて順に説明する。
【００４６】
（第１の方法）ＦＴＰサーバ２に記憶保持されている固有パラメータをネットワーク４経由によりＦｌａｓｈＲｏｍ２１にダウンロードする方法
（第２の方法）対応国分の全固有パラメータをＦｌａｓｈＲＯＭ２１、あるいはハードディスク１９に圧縮して記憶し、使用国のカントリーコード３３に対応するデータを読み出して復元し、ＦｌａｓｈＲＯＭ２１に展開する方法
（第３の方法）ＣＤ−ＲＯＭ等の記憶媒体７に記憶された固有パラメータを外部インタフェース１２によりローカル接続されたローカル接続ＰＣ６から取得してＦｌａｓｈＲｏｍ２１に設定する方法
最初に、第１の方法について説明する。
【００４７】
図３は、固有パラメータ設定プログラムが画像通信装置１の固有パラメータをネットワーク４経由でＦｌａｓｈＲｏｍ２１にダウンロードする際の処理手順を示すフローチャートである。
【００４８】
画像通信装置１の電源３７がＯＮになると、画像通信装置１の起動プログラムは固有パラメータが設定済みかを判断し（ステップＳ１０１）、既に設定済みの場合は（ステップＳ１０１でＹＥＳ）、処理を終了して画像通信装置１の起動処理を実施し、通常の処理に移行する。
【００４９】
固有パラメータが未設定の場合（ステップＳ１０１でＮＯ）、起動プログラムは固有パラメータ設定プログラムを起動し、固有パラメータ設定プログラムは、カントリーコード３３の入力画面（図４の（ａ））をコントロールパネル１７に表示する（ステップＳ１０２）。
【００５０】
入力画面（図４の（ａ））で指定されたカントリーコード３３を取得し、（ステップＳ１０３）、取得したカントリーコード３３をもとにＦｌａｓｈＲＯＭ２１に記憶されたカントリーコード管理テーブル３１を検索し、ダウンロードの接続先３４（例えば、ＦＴＰサーバあるいは、ダウンロード用ＷＥＢサイトのＵＲＬ、ＩＰ網に接続された装置のＩＰアドレス）を取得する（ステップＳ１０４）。
【００５１】
取得した接続先３４の情報をもとに固有パラメータの記憶先への接続処理を開始し（ステップＳ１０５）、接続に失敗した場合は（ステップＳ１０６でＮＯ）、画像通信装置１のコントロールパネル１７にその旨エラーメッセージを表示する（ステップＳ１１２）。
【００５２】
一方、接続先３４への接続が成功し（ステップＳ１０６でＹＥＳ）、なおかつ、接続先に記憶保持されている固有パラメータのパターンが複数存在する場合（ステップＳ１０７でＹＥＳ）、固有パラメータ設定プログラムは、固有パラメータの種別と、各種別毎にダウンロードするパラメータをオペレータが選択する画面（例えば図４（ｃ））を画像通信装置１のコントロールパネル１７に表示する（ステップＳ１０８）。
【００５３】
この時、例えば、固有パラメータの種別として回線規格、文字フォントがある場合、図５（ａ）の一覧画面で使用する回線規格を指定し、図５（ｂ）の一覧画面で使用するフォントを指定し（ステップＳ１０９）、指定された固有パラメータを取得してＦｌａｓｈＲＯＭ２１に書き込む（ステップＳ１１０）。
【００５４】
一方、接続先３４に記憶されている固有パラメータが単一の種類しか存在せずオペレータによる選択が不要となる場合は（ステップＳ１０７でＮＯ）、ステップＳ１１０の処理を直ちに実行する。
【００５５】
固有パラメータのダウンロードが完了すると、固有パラメータ設定プログラムは、画像通信装置１のコントロールパネル１７にダウンロード完了のメッセージを表示し処理を終了する（ステップＳ１１１）。
【００５６】
次に、各国の固有パラメータを記憶して格納するサーバの設置構成、および各サーバ内のディレクトリ構成について説明する。
【００５７】
図６に示す構成は、ＦＴＰサーバＡ２５〜ＦＴＰサーバＤ２８の４台を配置した時の構成例であり、各ＦＴＰサーバは、グループ化された複数国の固有パラメータをそれぞれ階層構造で格納している。
【００５８】
例えば、ＦＴＰサーバＡ２５の場合、第１階層には、「North America」、「South America」等、固有パラメータのグループを示す２つのディレクトリ２９と、各第２階層には、各グループに所属する各国の固有パラメータが格納されるサブディレクトリ３０で構成される。
【００５９】
例えば、Ａｕｓｔｒａｌｉａ（図２に示すカントリーコード管理テーブルでのカントリーコード：１２４に該当）の固有パラメータは、「ＦＴＰサーバＣ２７」のディレクトリ「Ｏｃｅａｎｉａ」のサブディレクトリ「Ａｕｓｔｒａｌｉａ」（図２に示すカントリーコード管理テーブル３１の接続先３４の内容）に記憶される。
【００６０】
なお、各ＦＴＰサーバの配置は、図６以外に、各国の固有パラメータを１台毎に格納して各国に配置したり、同じディレクトリ構成での固有パラメータを二重に管理する配置構成、一箇所に複数台のサーバを集中して配置する等、設置構成、サーバの設置場所、ディレクトリ構成は、画像通信装置１と接続して通信できる構成であれば特に限定されない。
【００６１】
次に、固有パラメータ設定プログラムが、固有パラメータをＦｌａｓｈＲＯＭ２１に設定する第２の方法について説明する。
【００６２】
図７は、上記第２の方法として、画像通信装置１の記憶手段に事前に圧縮して記憶した各国分の全固有パラメータのうち、使用国に該当する固有パラメータのみを読み出して復元し、ＦｌａｓｈＲＯＭ２１に展開する制御構成を示すブロック図である。
【００６３】
また、第２の方法を実現するため、カントリーコード管理テーブル３１は、図８に示すように、図２のレイアウトに示した接続先３４の替わりに、固有パラメータの記憶先を示すメモリアドレス３５が設定された構成となる。
【００６４】
図９は、上記第２の方法である、画像通信装置１の記憶手段に事前に圧縮して記憶した固有パラメータを、使用国に該当する固有パラメータのみを読み出して復元し、ＦｌａｓｈＲＯＭ２１に展開する処理を示すフローチャートである。
【００６５】
画像通信装置１の電源３７がＯＮになると、画像通信装置１の起動プログラムは、固有パラメータがＦｌａｓｈＲＯＭ２１に設定済みであるかを判断する（ステップＳ２０１）。
【００６６】
一方、固有パラメータが未設定の場合は（ステップＳ２０１でＮＯ）、起動プログラムは、固有パラメータ設定プログラムを起動し、固有パラメータ設定プログラムは、カントリーコード３３の入力画面をコントロールパネル１７に表示する（ステップＳ２０２）。
【００６７】
一方、固有パラメータが既に設定済みの場合（ステップＳ２０１でＹＥＳ）、処理終了して画像通信装置１の通常処理に移行する。
【００６８】
オペレータがカントリーコード３３の入力画面に表示された一覧から使用する国のカントリーコード３３を選択すると（ステップＳ２０３）、固有パラメータ設定プログラムは、入力されたカントリーコード３３を基にカントリーコード管理テーブル３１を検索してメモリアドレス３５を取得し、メモリアドレス３５から圧縮された固有パラメータを読み出してＲＡＭ２０のワークメモリ領域で復元する（ステップＳ２０４）。
【００６９】
復元した固有パラメータをＦｌａｓｈＲＯＭ２１に書き込む（ステップＳ２０５）。
【００７０】
ＦｌａｓｈＲＯＭ２１に対する固有パラメータの書き込みが終了すると、固有パラメータ設定プログラムは、コントロールパネル１７に処理完了メッセージを表示し（ステップＳ２０６）、処理を終了する。
【００７１】
次に、固有パラメータを設定する第３の方法について説明する。
【００７２】
図１０は、画像通信装置１がＵＳＢインタフェース１３およびＵＳＢケーブル２４でローカル接続ＰＣ６に接続し、ＣＤ−ＲＯＭ等の記憶媒体７に記憶された固有パラメータをＵＳＢインタフェースのデータ通信により受信してＦｌａｓｈＲＯＭ２１に設定する時の制御構成を示すブロック図である。
【００７３】
ここで、画像通信装置１の制御ブロック図は、図１と同一の制御構成である。
また、図１１は、画像通信装置１の固有パラメータ設定プログラムが、ＵＳＢインタフェース１３で接続したローカル接続ＰＣ６から記憶媒体７に記憶された固有パラメータを受信してＦｌａｓｈＲＯＭ２１に書き込む処理手順を示すフローチャートである。
【００７４】
画像通信装置１の電源３７がＯＮになると、画像通信装置１の起動プログラムは、固有パラメータがＦｌａｓｈＲｏｍ２１に設定済みか否かを判断する（ステップＳ３０１）。
【００７５】
ここで、固有パラメータが設定済みである場合（ステップＳ３０１でＮＯ）、処理終了し、通常の起動処理および画像通信処理へ移行する。
【００７６】
一方、固有パラメータが未設定の場合（ステップＳ３０１ＹＥＳ）、起動プログラムは固有パラメータ設定プログラムを起動し、ＵＳＢインタフェース１３を制御してローカル接続ＰＣ６への接続を開始する（ステップＳ３０２）。
【００７７】
ここで、ローカル接続ＰＣ６への接続が成功した場合は（ステップＳ３０２でＹＥＳ）、固有パラメータ設定プログラムは、カントリーコード３３の入力画面（図４の（ａ））をコントロールパネル１７に表示する（ステップＳ３０３）。
【００７８】
一方、ローカル接続ＰＣ６に接続できない場合（ステップＳ３０２でＮＯ）は、コントロールパネル１７にローカル接続ＰＣへの接続が失敗した旨のエラーメッセージを出力して処理終了する（ステップＳ３０８）。
【００７９】
固有パラメータ設定プログラムは、ＵＳＢインタフェース１３にてローカル接続ＰＣ６との接続を確立する（ステップＳ３０４）。
【００８０】
固有パラメータ設定プログラムは、オペレータによって指定されたカントリーコード３３を基にカントリーコード管理テーブルを参照し、固有パラメータが記憶されている記憶媒体７にアクセスし、固有パラメータをＵＳＢケーブル２４およびＵＳＢインタフェース１３を介して受信する（ステップＳ３０５）。
【００８１】
画像通信装置１側の固有パラメータの設定プログラムは、受信した固有パラメータを画像通信装置１のＦｌａｓｈＲＯＭ２１に書き込む（ステップＳ３０６）。
【００８２】
固有パラメータ設定プログラムは、コントロールパネル１７に処理完了メッセージを出力する（ステップＳ３０７）。
【００８３】
なお、ステップＳ３０３で出力するカントリーコード３３の入力インタフェースは、ローカル接続ＰＣ６にインストールされたブラウザが出力する入力フォームにする構成にしてもよい。
【００８４】
また、ローカル接続ＰＣ６と画像通信装置１との接続インタフェースは、ＵＳＢインタフェース１３以外に、ＩＥＥＥ１３９４インタフェース１４を使用する構成にしてもよい。
【００８５】
なお、図３、図７、図１１に示したＦｌａｓｈＲｏｍ２１への固有パラメータ設定処理は、起動プログラムがＦｌａｓｈＲｏｍ２１への固有パラメータが未設定を判定後、起動した固有パラメータ設定プログラムが、上記第１から第３の方法をオペレータが選択するメニュー画面をコントロールパネル１７出力する処理を追加し、一つのプログラムで上記複数の設定方法に対処する構成にしてもよい。
【００８６】
また、図３、図９、図１１の固有パラメータ設定処理において、カントリーコード３３の代わりに、図４（ｂ）に示すような画像通信装置１の自局番号を入力するユーザインタフェースに変更し、固有パラメータ設定プログラムは、取得した自局番号をカントリーコード３３にプログラム内部で変換する処理に変更してもよい。
【００８７】
また、固有パラメータをＦＴＰサーバからダウンロードする図１の構成の場合は、カントリーコード３３の入力の変わりに、ＦＴＰサーバのアドレスを直接入力するユーザインタフェースにしてもよい。
【００８８】
次に、ＦｌａｓｈＲＯＭ２１に書き込んだ固有パラメータを、稼動後、定期的に監視して、常に最新のデータに維持管理する方法について説明する。
【００８９】
図１２は、画像通信装置１のＦｌａｓｈＲＯＭ２１に展開した固有パラメータと、ＦＴＰサーバに格納される固有パラメータのバージョンをタイマ監視によりチェックし、ＦｌａｓｈＲＯＭ２１に展開済みの固有パラメータの更新が必要な場合、最新のバージョンに自動更新する処理手順を示すフローチャートである。
【００９０】
この自動更新処理を実施するための構成は、図１の構成において、ＦＴＰサーバ２は、最新の固有パラメータを記憶管理し、タイマ専用時計３８を使用するタイマ監視プログラム、自動更新プログラムが記憶部１８にインストールされた構成であることが前提となる。
【００９１】
タイマ監視プログラムは、タイマ専用時計３８と連携し、予め設定された、日付、曜日、日時、時刻、経過時間を検知すると、自動更新プログラムを起動する（ステップＳ４０１）。
【００９２】
自動更新プログラムは、初期設定時、あるいは、前回の更新時に取得して記憶部１８に記憶済みのカントリーコード３３をもとにカントリーコード管理テーブル３１を検索し、最新の固有パラメータを保有するＦＴＰサーバのディレクトリ情報を取得し（ステップＳ４０２）、通信制御部９のＮ／Ｗ通信制御部１０を制御してネットワーク４経由でＦＴＰサーバ２に自動で接続を開始する（ステップＳ４０３）。
【００９３】
ＦＴＰサーバ２に対して接続が成功すると（ステップＳ４０４でＹＥＳ）、自動更新プログラムは、画像通信装置１のＦｌａｓｈＲＯＭ２１に展開済みの固有パラメータのバージョンとＦＴＰサーバ２に格納された最新の固有パラメータのバージョンを比較して確認する（ステップＳ４０５）。
【００９４】
確認の結果、固有パラメータのバージョンアップが不要であると判断した場合（ステップＳ４０５でＹＥＳ）は、タイマ監視プログラムに対してリセットを通知して自動更新処理を終了する。
【００９５】
一方、ＦｌａｓｈＲＯＭ２１に展開した固有パラメータのバージョンアップが必要であることを判断した場合は（ステップＳ４０５でＮＯ）、最新の固有パラメータのダウンロード処理を開始し、ＦｌａｓｈＲＯＭ２１に記憶された古い固有パラメータを更新する（ステップＳ４０６）。
【００９６】
固有パラメータのバージョンアップが完了すると、自動更新プログラムは、自動更新処理の完了のメッセージをコントロールパネル１７に表示し（スッテプＳ４０７）、タイマ管理プログラムに対してリセット通知を行い、タイマ監視プログラムからのイベント待ち状態へ遷移して処理を終了する（ステップＳ４０８）。
【００９７】
一方、ステップＳ４０４のＦＴＰサーバ２に対する接続が失敗した場合（ステップＳ４０４でＮＯ）、自動更新プログラムは、接続エラー発生のメッセージをコントロールパネル１７に表示し（ステップＳ４０９）、処理を終了する。
【００９８】
なお、画像通信装置１が固有パラメータの最新バージョンを管理するＦＴＰサーバ２に常時接続あるいは、定期的に接続する構成とし、自動更新プログラムは、タイマ監視プログラムからの通知による起動以外に、ＦＴＰサーバ２側からバージョンアップ通知を受信して自動更新処理を開始する構成にしてもよい。
【００９９】
また、上記自動更新処理は、接続先３４をＦＴＰサーバ２以外に、ＷＥＢサイト、イントラネットで接続された端末、画像通信装置にローカルに接続したパーソナルコンピュータに設定して処理する構成にしてもよい。
【０１００】
さらに、画像通信装置１以外に、スキャナユニットと画像通信ユニットを含む画像処理複合装置への固有パラメータ設定にもこの発明を適用することが可能である。
【０１０１】
【発明の効果】
以上説明したようにこの発明によれば、固有パラメータを記憶する記憶先を示す記憶先情報を記憶先情報記憶手段に記憶し、指定手段により国の指定を行い、該指定手段により指定された国に対応する固有パラメータを記憶する記憶先に対して記憶先情報記憶手段に記憶された記憶先情報によりアクセスして該指定手段で指定された国に対応する固有パラメータをダウンロード手段によりダウンロードして記憶手段に記憶するように構成したので、ハードウェアの構成を変更することなく簡便な操作で、各国の固有パラメータを設定でき、これにより製造コスト、保守コスト、管理コストを抑えた画像通信装置を提供することができるという効果を奏する。
【０１０２】
また、手入力によるパラメータの設定ミス、古いパラメータの使用による接続エラーを防止し、回線に確実に接続することができる。
【０１０３】
また、画像通信装置の製造においては、使用国固有の文字フォント、通信パラメータを個別に書き込んだＲＯＭを出荷国別に作成したり、あるいは、各国分のパラメータ全てを事前に書き込んだ大容量のＲＯＭを作成することが不要となる。
【０１０４】
また、製品出荷後にパラメータの変更が生じた場合、ＲＯＭ交換、ＲＯＭ書き換え作業無しで対応することが可能となる。
【図面の簡単な説明】
【図１】この発明の画像通信装置が固有パラメータを設定する第１の方法を実施する際の制御構成を示すブロック図である。
【図２】カントリーコードの一覧および固有パラメータの設定処理に必要な関連情報を記憶するカントリーコード管理テーブルのレイアウトを示す図である。
【図３】この発明の画像通信装置が固有パラメータを設定する第１の方法を実施する処理手順を示すフローチャートである。
【図４】画像通信装置の固有パラメータを設定する際に固有パラメータの設定種別を入力するためのユーザインタフェースである。
【図５】カントリーコードに該当する固有パラメータの設定パターンが複数存在する場合、オペレータがそれぞれの固有パラメータを選択する為のユーザインタフェースである。
【図６】画像通信装置の各国に対応した固有パラメータをＦＴＰサーバに記憶した時のサーバ設置構成およびディレクトリ構成の一例を示した図である。
【図７】この発明の画像通信装置が固有パラメータを設定する第２の方法を実施する際の制御構成を示すブロック図である。
【図８】カントリーコード管理テーブルがＦｌａｓｈＲＯＭに圧縮されたカントリーコード毎の固有パラメータのメモリアドレスを管理した場合のテーブルレイアウトを示す図である。
【図９】この発明の画像通信装置が固有パラメータを設定する第２の方法を実施する処理手順を示すフローチャートである。
【図１０】この発明の画像通信装置が固有パラメータを設定する第３の方法を実施する際の制御構成を示すブロック図である。
【図１１】この発明の画像通信装置が固有パラメータを設定する第３の方法を実施する際の処理手順を示すフローチャートである。
【図１２】画像通信装置のＦｌａｓｈＲＯＭに展開した固有パラメータのバージョンをタイマにより定期的に監視し、最新バージョンに自動更新する処理手順を示すフローチャートである。
【符号の説明】
１    画像通信装置
２    ＦＴＰサーバ
３    相手側画像通信装置
４    ネットワーク
５    公衆回線
６    ローカル接続ＰＣ
７    記憶媒体
８    ＣＰＵ
９    通信制御部
１０    Ｎ／Ｗ通信制御部
１１    公衆回線通信制御部
１２    外部インタフェース
１３    ＵＳＢインタフェース
１４    ＩＥＥＥ１３９４インタフェース
１５    出力部
１６    入力部
１７    コントロールパネル
１８    記憶部
１９    ハードディスク
２０    ＲＡＭ
２１    ＦｌａｓｈＲＯＭ
２２    画像出力部
２３    画像入力部
２４    ＵＳＢケーブル
２５    ＦＴＰサーバＡ
２６    ＦＴＰサーバＢ
２７    ＦＴＰサーバＣ
２８    ＦＴＰサーバＤ
２９    ディレクトリ
３０    サブディレクトリ
３１    カントリーコード管理テーブル
３２    国名
３３    カントリーコード
３４    接続先
３５    メモリアドレス
３６    画像処理部
３７    電源
３８    タイマ専用時計
【図１】
2004201008.tif 000003
【図２】
2004201008.tif 000004
【図３】
2004201008.tif 000005
【図４】
2004201008.tif 000006
【図５】
2004201008.tif 000007
【図６】
2004201008.tif 000008
【図７】
2004201008.tif 000009
【図８】
2004201008.tif 000010
【図９】
2004201008.tif 000011
【図１０】
2004201008.tif 000012
【図１１】
2004201008.tif 000013
【図１２】
2004201008.tif 000014